(57)【要約】【課題】  閉状態のローラーを歯口に近い位置に配置することができる編地引下げ装置を提供する。【解決手段】  、開閉機構２０は、揺動レバー２１，２２の揺動で、関節１７，１８を介して支持アーム１３，１４を駆動している。上部でローラー１１，１２を支持する支持アーム１３，１４は、上昇するとローラー１１，１２間が閉じ、下降するとローラー１１，１２間が開くように、案内機構１５，１６で案内することができる。開閉機構２０でローラー１１，１２間を閉状態にする位置を、開状態にする位置よりも上昇させることができるので、開状態での退避スペースを確保しながら、閉状態のローラー１１，１２を歯口４に近い位置に配置することができる。【選択図】図１
2016211090.tif 000002
【特許請求の範囲】
【請求項１】
少なくとも歯口を挟んで対向する前後一対の針床を備え、各針床は、歯口に向う方向で高く、歯口から離れる方向で低くなるように傾斜している横編機に備えられ、
歯口に下方から臨み、歯口から垂下する編地の前後で回転しながら編地を引下げる前後一対のローラーと、
一対のローラー間が閉じた状態と、ローラー間が開いた状態とを切替える開閉機構とを、
含む編地引下げ装置において、
一対のローラーの各ローラーを上部でそれぞれ回転可能に支持し、下部が開閉機構に関節で結合される、一対の支持アームと、
一対の支持アームの上部を、上昇すると間隔が閉じ、下降すると間隔が開くように案内する案内機構とを、
さらに含むことを特徴とする編地引下げ装置。
【請求項２】
前記開閉機構は、
前記ローラーの下方に配置され、揺動変位の中心となる揺動軸を有し、揺動軸から延びて前記一対の支持アームの下部に前記関節で結合される腕を有する、一対の揺動レバーと、
一対の揺動レバーがそれぞれの揺動軸を中心として揺動し、揺動変位の方向が相互に逆方向となるように駆動する駆動源とを、
含むことを特徴とする請求項１記載の編地引下げ装置。
【請求項３】
前記開閉機構は、
前記揺動レバーを、前記揺動レバーの腕が前記関節を介して前記支持アームを上昇させる方向に付勢するばね、
を含み、
前記駆動源は、
回転出力で前記一対の揺動レバーを駆動する単一のモーターであり、
回転方向の一方で、ばねの付勢に抗して、支持アームを下降させる方向に駆動し、
モーターと一対のローラーとの間に設けられ、モーターの回転を、各ローラーが異なる方向に回転するように伝達する伝達機構と、
伝達機構に設けられ、モーターの回転出力を揺動軸に、回転方向の一方のみ伝達し、他方を遮断するワンウェイクラッチとを、
さらに含むことを特徴とする請求項２記載の編地引下げ装置。
【請求項４】
前記案内機構は、前記ローラーの回転軸を案内する、
ことを特徴とする請求項１〜３のいずれか一つに記載の編地引下げ装置。
【発明の詳細な説明】
【技術分野】
【０００１】
本発明は、横編機の歯口を下方から臨む位置に設けられる一対のローラーで、編成された編地を引下げるための編地引下げ装置に関する。
【背景技術】
【０００２】
従来から、少なくとも前後一対の針床を備え、各針床に設ける編針で編地を編成する横編機には、針床間の歯口を下方から臨む位置に配置する前後一対のローラーで、垂下する編地を引下げる編地引下げ装置が設けられるものがある（たとえば、特許文献１参照）。
【０００３】
一対のローラーは、引下げる際には編地を挟持するために間隔を狭めて閉じ、挟持の前に編地を通したり、編出し針を備える編出しベッドを通過させたりするためには、間隔を空けて開く必要がある。特許文献１では、ローラー間を開閉可能にするために、各ローラーは、ローラーよりも下方に設けられ、揺動軸まわりに揺動可能な一対の支持レバーの上部で、それぞれ支持される。
【先行技術文献】
【特許文献】
【０００４】
【特許文献１】特許第５２７４２３８号公報
【発明の概要】
【発明が解決しようとする課題】
【０００５】
前後一対の針床を備える横編機で、各針床は、歯口から離れると低くなるように、横編機のフレームによって傾斜した姿勢で支持される。針床の下方には、歯口付近では狭く、歯口下方では広くなる空間が形成される。特許文献１に示すような編地引下げ装置では、歯口に臨むローラー間を支持レバーの揺動で開閉する。開閉時のローラーの軌跡は、下方に中心を有する円弧の一部となり、上下の変化は小さく、ほぼ前後方向となる。したがって、ローラーは、歯口の下方の空間で、開状態のローラーを退避させることが可能なスペースを前後方向に有する位置に配置する必要があり、あまり歯口に近付けることができない。ローラーは、歯口の下方で、歯口に近い位置に配置する方が、編地の引下げを有効に行う上では好ましい。しかしながら、退避スペースを確保しながらローラーを配置可能な位置では、歯口からは下方に離れた位置になってしまう。
【０００６】
本発明の目的は、閉状態のローラーを歯口に近い位置に配置することが可能な、編地引下げ装置を提供することである。
【課題を解決するための手段】
【０００７】
本発明は、少なくとも歯口を挟んで対向する前後一対の針床を備え、各針床は、歯口に向う方向で高く、歯口から離れる方向で低くなるように傾斜している横編機に備えられ、
歯口に下方から臨み、歯口から垂下する編地の前後で回転しながら編地を引下げる前後一対のローラーと、
一対のローラー間が閉じた状態と、ローラー間が開いた状態とを切替える開閉機構とを、
含む編地引下げ装置において、
一対のローラーの各ローラーを上部でそれぞれ回転可能に支持し、下部が開閉機構に関節で結合される、一対の支持アームと、
一対の支持アームの上部を、上昇すると間隔が閉じ、下降すると間隔が開くように案内する案内機構とを、
さらに含むことを特徴とする編地引下げ装置である。
【０００８】
また本発明で、前記開閉機構は、
前記ローラーの下方に配置され、揺動変位の中心となる揺動軸を有し、揺動軸から延びて前記一対の支持アームの下部に前記関節で結合される腕を有する、一対の揺動レバーと、
一対の揺動レバーがそれぞれの揺動軸を中心として揺動し、揺動変位の方向が相互に逆方向となるように駆動する駆動源とを、
含むことを特徴とする。
【０００９】
また本発明で、前記開閉機構は、
前記揺動レバーを、前記揺動レバーの腕が前記関節を介して前記支持アームを上昇させる方向に付勢するばね、
を含み、
前記駆動源は、
回転出力で前記一対の揺動レバーを駆動する単一のモーターであり、
回転方向の一方で前記一対のローラーを回転駆動し、
回転方向の他方で、ばねの付勢に抗して、支持アームを下降させる方向に駆動し、
モーターと一対のローラーとの間に設けられ、モーターの回転を、各ローラーが異なる方向に回転するように伝達する伝達機構と、
伝達機構に設けられ、モーターの回転出力を揺動軸に、回転方向の一方のみ伝達し、他方を遮断するワンウェイクラッチとを、
さらに含むことを特徴とする。
【００１０】
また本発明で、前記案内機構は、前記ローラーの回転軸を案内する、
ことを特徴とする。
【発明の効果】
【００１１】
本発明によれば、支持アームは、上部でローラーを支持する。支持アームの上部の間隔は、上昇すると閉じ、下降すると開くように、案内機構で案内することができる。開閉機構でローラー間を閉じる位置を開いた状態の位置よりも上昇させることができるので、開状態での退避スペースを確保しながら、閉状態のローラーを歯口に近い位置に配置することが可能となる。案内機構でローラーに近い支持アームの上部を案内するので、ローラーが上昇すると閉状態となり、下降すると開状態となる際の案内を、確実に行うことができる。
【００１２】
また本発明によれば、一対の支持アームに対する駆動を、開閉機構の一対の揺動レバーが下方の揺動軸を中心とする揺動変位で行うので、前後のローラーを開閉する駆動を、大きなスペースを要することなく、同等に行わせることができる。
【００１３】
また本発明によれば、単一のモーターを駆動源として、モーターの回転方向に応じて、回転方向の一方でローラーを回転駆動し、回転方向の他方でローラー間を開くように切換えることができる。
【００１４】
また本発明によれば、案内機構は、ローラーの回転軸を案内するので、コンパクトに形成することができる。コンパクトに形成される案内機構は、歯口に近い狭い空間にも容易に配置することができる。
【図面の簡単な説明】
【００１５】
【図１】図１は、本発明の実施例１としての編地引下げ装置１０でローラー１１，１２間が閉状態の構成を、横編機１の右側部分について、簡略化して示す右側面図である。
【図２】図２は、図１の編地引下げ装置１０で、開閉時に案内機構１５，１６によって案内されるローラー１１，１２の軌跡を示す部分的な右側面図である。
【図３】図３は、図１の編地引下げ装置１０でローラー１１，１２間が開状態の構成を、横編機１の左側部分について、簡略化して示す左側面図である。
【図４】図４は、図１の編地引下げ装置１０の構成を、横編機１の左側部分について簡略化して示す正面図である。
【図５】図５は、図１の編地引下げ装置１０の構成を、横編機１の右側部分について簡略化して示す正面図である。
【図６】図６は、本発明の実施例２としての編地引下げ装置５０でローラー１１，１２間が閉状態の構成を、横編機１の右側部分について、簡略化して示す右側面図である。
【図７】図７は、図６の編地引下げ装置５０でローラー１１，１２間が開状態の構成を、横編機１の右側部分について、簡略化して示す右側面図である。
【発明を実施するための形態】
【００１６】
以下、図１から図５で、また図６から図７で、本発明の実施例１および実施例２としての編地引下げ装置１０，５０の構成をそれぞれ示す。各実施例では、対応する部分には同一の参照符を付して、重複する説明を省略する場合がある。また、説明対象の図には記載されていない部分について、他の図に記載される参照符を付して言及する場合がある。
【実施例１】
【００１７】
図１は、本発明の実施例１としての編地引下げ装置１０の構成を簡略化して示す。編地引下げ装置１０は横編機１に備えられる。横編機１は、少なくとも前後一対の針床２，３を備える。前後の針床２，３は、歯口４を挟んで対向する。各針床２，３は、歯口４に向う方向で高く、歯口４から離れる方向で低くなるように傾斜してフレーム５によって支持される。各針床２，３には多数の針溝が紙面に垂直な方向に並設され、各針溝に収容される編針６，７は、先端のフックが歯口４に進退して、編地の編成等の動作を行う。編成された編地は、歯口４から下方に垂下する。
【００１８】
編地引下げ装置１０は、歯口４に下方から臨み、歯口４から垂下する編地の前後で回転しながら編地を引下げる前後一対のローラー１１，１２を含み、さらに一対の支持アーム１３，１４、案内機構１５，１６および開閉機構２０を含む。ローラー１１，１２は、針床２，３の左右方向に沿って延長され、横編機１の右側部分と左側部分とに主要な機構を有する。図１では、横編機１の右側部分での構成を示す。
【００１９】
一対の支持アーム１３，１４は、各ローラー１１，１２を上部でそれぞれ回転可能に支持し、下部が開閉機構２０に関節１７，１８で結合される。開閉機構２０は、一対のローラー１１，１２間が閉じた状態と、ローラー１１，１２間が開いた状態とを切替える。案内機構１５，１６は、案内溝１５ａ，１６ａをそれぞれ有し、案内溝１５ａ，１６ａには、ローラー１１，１２の回転軸１１ａ，１２ａがそれぞれ収容される。本実施例１の案内機構１５，１６は、一対の支持アーム１３，１４の上部を、上昇すると間隔が閉じ、下降すると間隔が開くように案内する。このような案内で、ローラー１１，１２の回転軸１１ａ，１２ａの部分も、上昇すると間隔が閉じ、下降すると間隔が開く。以上のような編地引下げ装置１０の主要部分は、支持板１０ａに取付けられ、案内溝１５ａ，１６ａは支持板１０ａに形成される。支持板１０ａは、ボルト１０ｂでフレーム５に取付けられる。
【００２０】
開閉機構２０は、一対の揺動レバー２１，２２を含む。一対の揺動レバー２１，２２は、ローラー１１，１２の下方に設けられる揺動軸２３，２４を揺動変位の中心として、それぞれ揺動する。揺動レバー２１，２２で、揺動軸２３，２４から延びる腕２１ａ，２２ａの端部は、一対の支持アーム１３，１４の下部に関節１７，１８で結合される。本実施例１では、揺動軸２３，２４は、支持板１０ａに設ける回転軸受で、回転可能に支持される。一対の揺動レバー２１，２２は、関節１７，１８が設けられる腕２１ａ，２２ａと対向する側に、ばね２５，２６の上端がそれぞれ掛けられる。ばね２５，２６は引張りばねであり、下端は支持板１０ａに設けるボルト１０ｃにそれぞれ掛けられる。揺動軸２３，２４には、揺動レバー２１，２２とともに、開閉歯車２７，２８もそれぞれ取付けられている。開閉歯車２７，２８は相互に噛合しているので、揺動軸２３，２４は相互に逆方向に回転する。揺動軸２３，２４は、紙面に垂直な方向に、横編機１の左側部分まで延長される。
【００２１】
本実施例１では、横編機１の左側部分に、一方の揺動軸２３を回転駆動するための伝達機構３０が設けられている。伝達機構３０は、揺動軸２３に取付けられるプーリ３１と、プーリ３１に掛るベルト３２とを含む。ベルト３２には、後述するように、モーターから回転駆動力が伝達される。伝達機構３０で、他方の揺動軸２４を回転駆動するようにしてもよい。いずれにしても、一対の揺動レバー２１，２２は、それぞれの揺動軸２３，２４を中心として揺動する。揺動変位の方向は、相互に逆方向となる。
【００２２】
ばね２５，２６は、揺動レバー２１，２２を介して、揺動軸２３，２４を時計回り方向と反時計回り方向とにそれぞれ付勢している。揺動レバー２１，２２から関節１７，１８を介して、支持アーム１３，１４は上昇するように付勢され、ローラー１１，１２は案内機構１５，１６による案内で、上昇して閉状態となる。揺動軸２３を反時計回り方向に回転駆動すると、開閉歯車２７も反時計回り方向に回転し、開閉歯車２８は時計回り方向に回転し、揺動軸２４も時計回り方向に回転する。ばね２５，２６による付勢に抗して、揺動レバー２１，２２から関節１７，１８を介し、支持アーム１３，１４は下降するように駆動され、ローラー１１，１２は案内機構１５，１６による案内で、下降して開状態となる。
【００２３】
図２は、図１の編地引下げ装置１０で、開閉時に案内機構１５，１６によって案内されるローラー１１，１２の軌跡を示す。本実施例で、案内機構１５，１６は、ローラー１１，１２の回転軸１１ａ，１２ａを案内するので、コンパクトに形成することができ、歯口４に近付く狭い空間にも容易に配置することができる。また、案内溝１５ａ，１６ａが針床２，３の傾斜に沿って直線状に設けられているので、ローラー１１，１２の開閉軌跡も直線状になる。案内溝１５ａ，１６ａの形状を変更して、たとえば上部では傾斜が緩くなって歯口４の中心に向うようにすれば、歯口４から垂下する編地に対し、閉状態でばね２５，２６による付勢で生じる面圧を横編機１の前後から水平に加えることができる。
【００２４】
図３は、図１の編地引下げ装置１０でローラー１１，１２間が開状態の構成を、横編機１の左側部分について、簡略化して示す。左側部分にも、一対の支持アーム１３，１４、案内機構１５，１６、関節１７，１８、揺動レバー２１，２２、およびばね２５，２６が編地引下げ装置１０の主要部として、それぞれ設けられる。揺動軸２３，２４は、左側部分と右側部分との間に渡って挿通され、揺動レバー２１，２２は、揺動軸２３，２４の左右両端に、それぞれ取付けられる。
【００２５】
左側部分では、編地引下げ装置１０の主要部は、支持板１０ｄに取付けられる。支持板１０ｄは、ボルト１０ｂでフレーム５に取付けられる。揺動軸２３，２４には、伝達機構３０に含まれるワンウェイクラッチ３５，３６がそれぞれ設けられる。ワンウェイクラッチ３５，３６は、回転方向の一方のみを外周側から内周側に伝達し、他方を遮断する。図３では時計回り方向の回転のみをワンウェイクラッチ３５から揺動軸２３に、反時計回り方向の回転のみをワンウェイクラッチ３６から揺動軸２４に、それぞれ伝達し、逆方向の回転を遮断する。伝達する回転方向は、図１ではそれぞれ反時計回り方向および時計回り方向となり、開閉機構２０で、ローラー１１，１２間が開状態となるように切換えることができる。伝達機構３０のプーリ３１は、揺動軸２３に設けられるワンウェイクラッチ３５の外周側にベルト３２からの回転を伝達する。
【００２６】
ワンウェイクラッチ３５の外周側には、回転歯車３７も取付けられる。ワンウェイクラッチ３６の外周側には、回転歯車３８が取付けられる。回転歯車３７，３８は、相互に噛合する。回転歯車３７，３８は、関節１７，１８に設ける中継歯車３９，４０と、ローラー１１，１２の回転軸１１ａ，１２ａに取付けるローラー歯車４１，４２を、それぞれ回転駆動する。伝達機構３０は、ワンウェイクラッチ３５，３６、回転歯車３７，３８、中継歯車３９，４０、およびローラー歯車４１，４２も含み、回転歯車３７，３８を、それぞれ駆動する。
【００２７】
回転歯車３７が反時計回り方向、回転歯車３８が時計回り方向となるように回転駆動しても、揺動軸２３，２４には回転出力が伝達されず、ローラー１１，１２間は、ばね２５，２６による引張力で、閉状態となる。ローラー１１，１２間が閉状態では、回転歯車３７およびローラー１１は反時計回り方向、回転歯車３８およびローラー１２は時計回り方向に回転し続け、歯口４から垂下する編地挟んで引下げることができる。伝達機構３０で、回転歯車３７が時計回り方向に回転するように駆動すると、揺動軸２３も時計回り方向に回転する。回転歯車３８は反時計回り方向に回転し、揺動軸２４も反時計回り方向に回転する。図１では、揺動軸２３の回転方向は反時計回り方向となり、揺動軸２４の回転方向は時計回り方向となって、ローラー１１，１２間が開く。この方向の回転駆動は、ローラー１１，１２間が開状態になるまで行う。
【００２８】
図４は、横編機１の左側部分について、図３に対応する構成を簡略化して示す。フレーム５の底面には、駆動源となるモーター４５が取付けられる。モーター４５の出力軸にはプーリ４６が設けられ、プーリ４６にはベルト３２が掛けられる。プーリ４６とモーター４５との間には、支持板１０ｄによって支持される受け板４７が配置される。受け板４７は、ばね２５，２６の下端を掛けるボルト１０ｃを保持する。支持板１０ｄは、揺動軸２３，２４、およびモーター４５の出力軸を、それぞれ回転軸受で回転自在に支持している。ローラー１１，１２の回転軸１１ａ，１２ａを回転自在に支持する回転軸受は、支持板１０ｄに設ける案内溝１５ａに挿入されている。モーター４５の出力軸は、受け板４７にも回転軸受で支持される。
【００２９】
図５は、横編機１の右側部分について、図１に対応する構成を簡略化して示す。支持板１０ａは、揺動軸２３，２４を、それぞれ回転軸受で回転自在に支持している。ローラー１１，１２の回転軸１１ａ，１２ａを回転自在に支持する回転軸受は、支持板１０ａに設ける案内溝１５ａに挿入されている。本実施例１では、単一のモーター４５を駆動源として、モーター４５の回転方向に応じて、回転方向の一方でローラー１１，１２を回転駆動し、回転方向の他方でローラー１１，１２間を開くように切換えることができる
【実施例２】
【００３０】
図６は、本発明の実施例２としての編地引下げ装置５０でローラー１１，１２間が閉状態の構成を、横編機１の右側部分について、簡略化して示す。編地引下げ装置５０は、特許文献１の図１０以下に示す編地引下げ装置５０に本発明を適用している。本実施例２の編地引下げ装置５０では、特許文献１の編地引下げ装置５０と同一の機能を有する部分には、同一の名称を付している。また、本実施例２で実施例１に対応し、本発明の実施に関して対応する機能を有する部分には、実施例１での参照符に対して４０を加えた参照符を付して、重複する説明を省略している。
【００３１】
本実施例２の編地引下げ装置５０は、一対の支持アーム５３，５４、案内機構５５，５６を、特許文献１の編地引下げ装置５０に追加している。案内機構５５，５６は、保持板５０ａで保持される案内ホロワ５５ａ，５６ａをそれぞれ有し、案内ホロワ５５ａ，５６ａは、支持アーム５３，５４の上部に設ける案内溝５３ａ，５４ａにそれぞれ収容される。保持板５０ａに案内溝、支持アーム５３，５４にホロワを設けるようにしてもよい。
【００３２】
開閉機構６０は、特許文献１の支持レバー５１，５２にそれぞれ対応する、一対の揺動レバー６１，６２を有する。揺動レバー６１，６２は、揺動軸６３，６４を中心として揺動変位し、作動腕６１ａ，６２ａの端部は、一対の支持アーム５３，５４の下部に関節５７，５８で結合される。揺動レバー６１，６２は、交差腕６１ｂ，６２ｂも有し、交差腕６１ｂには長孔６１ｃが形成され、交差腕６２ｂには長孔６１ｃと係合するホロワ６２ｃが設けられる。ホロワ６２ｃには、リンク部材６５の上端が連結される。リンク部材６５の下端には、駆動レバー６６の作動腕６６ａの先端に設けられるピンと係合する長孔６５ａが形成される。
【００３３】
駆動レバー６６は、作動腕６６ａとともに、駆動腕６６ｂも有し、作動腕６６ａの中間部分と、駆動腕６６ｂの先端部分とには、回転式の駆動カム６７に設けられる作動カム部６７ａおよび駆動カム部６７ｂからの作用を受けるホロワ６６ｃ，６６ｄがそれぞれ設けられる。駆動カム６７の駆動軸６８は、図示を省略した駆動源によって、軸の中心まわりで角変位するように駆動される。駆動レバー６６の作動腕６６ａおよび駆動腕６６ｂの基部は、支持部６６ｅとなり、支持軸６６ｆまわりに揺動する。リンク部材６５の上端でホロワ６２ｃに連結される部分と、駆動レバー６６の作動腕６６ａの先端に設けるピンとの間に、引張りばねが掛けられるけれども、図示を省略する。
【００３４】
関節５７，５８にはプーリ６９，７０がそれぞれ装着される。タイミングベルト７１，７２は、プーリ６９，７０と、ローラー１１，１２の回転軸１１ａ，１２ａに装着されるプーリ７３，７４とに、それぞれ巻掛けられる。プーリ６９，７０には、歯車７５，７６がそれぞれ同軸上に取付けられ、揺動軸６３，６４に取付けられる開閉歯車７７，７８に噛合する。開閉歯車７７，７８同士は相互に噛合する。一方の開閉歯車７７には、駆動歯車７９が噛合する。駆動歯車７９は、図示を省略するモーターなどの出力軸に取付けられている。
【００３５】
図７は、図６の編地引下げ装置５０でローラー１１，１２間が開状態の構成を、横編機１の右側部分について、簡略化して示す。駆動カム６７は、駆動カム部６７ｂでホロワ６６ｄを押して、作動腕６６ａの先端のピンは、リンク部材６５を上方に押上げ、揺動レバー６１，６２の交差腕６１ｂ，６２ｂの交差部分を押上げる。揺動レバー６１，６２は、関節５７，５８を介して、支持アーム５３，５４を下降させ、案内機構５５，５６による案内を受け、ローラー１１，１２間の間隔が開く。
【００３６】
以上説明した実施例１および実施例２では、開閉機構２０，６０は、揺動レバー２１，２２，６１，６２の揺動で、関節１７，１８，５７，５８を介して支持アーム１３，１４，５３，５４を駆動している。上部でローラー１１，１２を支持する支持アーム１３，１４，５３，５４は、上昇するとローラー１１，１２の間隔が閉じ、下降するとローラー１１，１２の間隔が開くように、案内機構１５，１６，５５，５６で案内することができる。開閉機構２０，６０でローラー１１，１２間を閉じる位置を開いた状態の位置よりも上昇させることができるので、開状態での退避スペースを確保しながら、閉状態のローラー１１，１２を歯口４に近い位置に配置することができる。案内機構１５，１６，５５，５６でローラー１１，１２に近い支持アーム１３，１４，５３，５４の上部を案内するので、ローラー１１，１２が上昇すると閉状態となり、下降すると開状態となる際の案内を、確実に行うことができる。また、一対の支持アーム１３，１４，５３，５４に対する駆動を、開閉機構２０，６０の一対の揺動レバー２１，２２，６１，６２の揺動変位で行うので、前後のローラー１１，１２間を開閉する駆動を、大きなスペースを要することなく、同等に行わせることができる。
【００３７】
支持アーム１３，１４，５３，５４は、直動するシリンダー、ラックとピニオンとの組合せ機構、カム機構、ボールねじ機構などで駆動することもできる。駆動が直動でも、案内機構１５，１６，５５，５６の案内溝１５ａ，１６ａ，５５ａ，５６ａを曲線状にすれば、ローラー１１，１２が曲線状の開閉軌跡となるように案内することもできる。
【００３８】
なお、編地引下装置としての編地の引下げにローラー１１，１２を用いるばかりではなく、下方にメインローラーを設けて編地を巻き下げる際の補助となるサブローラーとしてローラー１１，１２を用いることもできる。
【符号の説明】
【００３９】
１  横編機
２，３  針床
４  歯口
５  フレーム
１０，５０  編地引下げ装置
１１，１２  ローラー
１１ａ，１２ａ  回転軸
１３，１４，５３，５４  支持アーム
１５，１６，５５，５６  案内機構
１７，１８，５７，５８  関節
２０，６０  開閉機構
２１，２２，６１，６２  揺動レバー
２３，２４，６３，６４  揺動軸
２５，２６  ばね
２７，２８  開閉歯車
３０  伝達機構
４５  モーター
６５  リンク部材
６６  駆動レバー
６７  駆動カム
【図１】
2016211090.tif 000003
【図２】
2016211090.tif 000004
【図３】
2016211090.tif 000005
【図４】
2016211090.tif 000006
【図５】
2016211090.tif 000007
【図６】
2016211090.tif 000008
【図７】
2016211090.tif 000009